(57)【要約】【課題】本発明は、電動ラップカッターを提供する。【解決手段】ラップを固定する定位フレームが設けられ、上記定位フレームの下方に、補助回転棒が設けられ、ラップを送り出すことに補助し、内部に駆動装置が設けられ、駆動装置に、モーターと駆動輪セットが設けられる基座と、上記基座内に設けられ、表面に、長尺槽と若干の案内槽が形成され、一側に、駆動装置の駆動輪セットと噛み合う従動回転輪が設けられる搬送輪と、搬送輪の前方に設置され、フレーム板とモーター、ベルト及び刃物座を備え、フレーム板に、少なくとも一つの搬送輪と平行に貼り付く遊び歯車があるカッターと、搬送輪の下方に設けられ、上端から、若干のシャベルシートが突出し、それらのシャベルシートが、搬送輪上の案内槽に対応し、繰り出されたラップを搬送輪の表面から、貼り付かないように突き出して、ユーザーが、便利に取る剥離案内板と、が含有され、これにより、自動的に、ラップ繰り出してカットし、ラップが、平坦に保持され、ユーザーが便利に取れる電動ラップカッターである。【選択図】  図２
2009280373.tif 000002
【特許請求の範囲】
【請求項１】
ラップを固定する定位フレームが設けられ、上記定位フレームの下方に、補助回転棒が設けられ、ラップを送り出すことに補助し、内部に駆動装置が設けられ、駆動装置に、モーターと駆動輪セットが設けられる基座と、
上記基座内に設けられ、表面に、長尺槽と若干の案内槽が形成され、一側に、駆動装置の駆動輪セットと噛み合う従動回転輪が設けられる搬送輪と、
搬送輪の前方に設置され、フレーム板とモーター、ベルト及び刃物座を備え、フレーム板に、少なくとも一つの搬送輪と平行に貼り付く遊び歯車があるカッターと、
搬送輪の下方に設けられ、上端から、若干のシャベルシートが突出し、それらのシャベルシートが、搬送輪上の案内槽に対応し、繰り出されたラップを搬送輪の表面から、貼り付かないように突き出して、ユーザーが、便利に取る剥離案内板と、
が含有される、
ことを特徴とする電動ラップカッター。
【請求項２】
搬送輪の長尺槽は、横方向に配列され、案内槽は、縦方向に設置されることを特徴とする請求項１に記載の電動ラップカッター。
【請求項３】
カッターのフレーム板は、基座に組立て、両側に、シャフトとベルト軸座が設けられ、モーターが、その一つのシャフトとベルト軸座を駆動するように、フレーム板に設置され、モーターの底面に、センサーが設けられ、ベルトが、ベルト軸座に嵌設され、刃物座が、ベルトに螺着され、該刃物座に、刃物が組み立てられ、刃物の刃部が、搬送輪の表面にある長尺槽に対応し、また、刃物座の上方に、モーターの底面にあるセンサーに対応するように、磁気部品が設けられることを特徴とする請求項１に記載の電動ラップカッター。
【発明の詳細な説明】
【技術分野】
【０００１】
本発明は、電動ラップカッターに関し、特に、自動的に、ラップを送り出してカットでき、ラップが、平坦に保持され、ユーザーが便利に取れ、使用上、より安全かつ便利である電動ラップカッターに関する。
【背景技術】
【０００２】
従来のラップは、その構造が、図１のようで、ロール状のラップ１０が、長方形ボックス１１にセットされ、ボックス１１に、開けるカバー１２が設けられ、カバー１２とボックス１１とにより、出口が形成され、出口の縁が、ジグザグ状であるカット部１３になり、本発明によれば、ラップ１０を、ボックス１１から、所定の長さで、引き出し、そして、一つの手で、カバー１２を押して、もう一つの手で、ラップ１０の端部を、逆方向に引っ張り、該カット部１３により、該ラップ１０が引き裂かれるが、従来のラップ１０の引き裂く操作は、ユーザーが。カバー１２の一端だけを押さえ、ボックス１１に沿って押さえることができないため、カットする時の押さえ箇所が均一に分散できないことにより、ラップ１０を引き裂き難くまた、絡み合って使用できなくなったり、引き裂いた長さが不均一になったり、変形になったりすることにより、操作が複雑で、また、時間が掛かり、不便である。
【０００３】
従来のラップのボックス１１は、ジグザグ状であるカット部１３が、ボックス１１の外に設置されるため、ユーザーが、ラップ１０を引き裂く時、不注意に、鋭いジグザグにより、傷つき、それも、従来のラップの解決しなければならない使用安全問題である。
【発明の開示】
【発明が解決しようとする課題】
【０００４】
本発明の主な目的は、自動的に、ラップを、所定の長さで送り出して、電動的に、カットし、ラップがカットされた後、平坦に保持され、取り出すことも便利にかつ安全的である電動ラップカッターを提供する。
【課題を解決するための手段】
【０００５】
本発明は、基座の内部に、搬送輪が設けられ、搬送輪の表面に、長尺槽と若干の案内槽が形成され、搬送輪の一側に、従動回転輪が設けられ、該従動回転輪が、駆動装置の駆動輪セットと噛み合い、カッターが、搬送輪の前方に設置され、該カッターに、フレーム板とモーター、ベルト及び刃物座を備え、フレーム板に、少なくとも一つの搬送輪と平行に貼り付く遊び歯車あがあり、剥離案内板が、搬送輪の下方に設けられ、剥離案内板の上端から突出する若干のシャベルシートがあり、それらのシャベルシートが、搬送輪上の案内槽に対応し、それにより、繰り出されたラップが、搬送輪の表面に貼り付かなくなり、ユーザーが便利に取れることを特徴とする電動ラップカッターである。
【発明を実施するための最良の形態】
【０００６】
以下、図面を参照しながら、本発明の上記の予期の目的や効果を実現するための技術手段について、より良い実施例を挙げて、詳しく説明する。
【０００７】
図２と図３を参照しながら、本発明は、
ラップ１０を固定する定位フレーム２１が設けられ、上記定位フレーム２１の下方に、補助回転棒２２が設けられ、ラップ１０を送り出すことに補助し、内部において、下方の近くに、駆動装置２３が設けられ、駆動装置２３に、モーター２３１と減速する駆動輪セット２３２が設けられ基座２と、
基座２内に設けられ、表面に、横方向の長尺槽３１と若干の縦方向の案内槽３２が形成され、一側に、基座２内の駆動装置２３の駆動輪セット２３２と噛み合う従動回転輪３３が設けられる；搬送輪３と、
搬送輪３の前方に設置され、フレーム板４１とモーター４２、ベルト４３及び刃物座４４を備え、フレーム板４１が、基座２に組立てられ、該フレーム板４１の両側に、下へ伸びるシャフト４１０があり、シャフト４１０の下部に、ベルト軸座４１１が設置され、また、フレーム板２に、上下遊び歯車４１２、４１３が設けられ、該上下遊び歯車４１２、４１３が、搬送輪３の前方に平行して貼り付き、ラップ１０を繰り出すことに補助し、モーター４２が、その一つのシャフト４１０とベルト軸座４１１を駆動するように、フレーム板４１に設けられ、また、モーター４２の底面に、センサー４２０が設けられ、ベルト４３が、フレーム板４１の下方にあるベルト軸座４１１に嵌設され、刃物座４４が、ベルト４３に固定され、該刃物座４４の下方に、刃物４４０が組み立てられ、刃物４４０の刃部が、搬送輪３の表面にある長尺槽３１に対応し、そして、刃物座４４の上方に、モーター４２の底面にあるセンサー４２０に対応するように、磁気部品４４１が設けられるカッター４と、
搬送輪３の下方に設けられ、上端から、若干のシャベルシート５１が突出し、それらのシャベルシート５１が、搬送輪３上の案内槽３２に対応し、繰り出されたラップ１０を搬送輪３の表面から、貼り付かないように突き出して、ユーザーが、便利に取れる剥離案内板５と、
が含有される。
【０００８】
本発明によれば、図２〜図５を参照しながら、まず、ラップ１０を基座２の定位フレーム２１にセットし、ラップ１０を、補助回転棒２２を巻いて、ラップ１０の一端が、搬送輪３の表面に貼り付くようになり、その後、電源をオンして待機の状態になり、操作する時、スタートボタンを押して駆動装置２３のモーター２３１をスタートして、駆動輪セット２３２が稼動され、該駆動輪セット２３２により、搬送輪３が連動され、搬送輪３の表面に貼り付くラップ１０が、自動的にかつ持続的に繰り出され、また、搬送輪３の前方において、平行に貼り付く上下遊び歯車４１２、４１３を利用してロールエクストルージョンを行い、ラップ１０の平坦を保持し、また、繰り出されたラップ１０が、剥離案内板５のシャベルシート５１により、搬送輪３の表面から突き出されて貼り付かなくなり、該ラップ１０が、ユーザーの必要とする所定の長さで引き出された後、ボタンを釈放することにより、モーター４１により搬送輪３を駆動することが、停止され、同時に、カッター４のモーター４２をスタートして、シャフト４１０とベルト４３が駆動され、該ベルト４３に固定された刃物座４４が、ベルト４３に連動されて、もう一端に向かって、横方向にリニア変位し、これにより、刃物４４０で、搬送輪３上のラップ１０をカットし、また、刃物座４４が、ベルト４３により一周に回転した後、モーター４２の底面にあるセンサー４２０で、刃物座４４の上面にある磁気部品４４１を検知すると、モーター４２が停止され、ベルト４３と刃物座４４が停止し、電動的に裁断されたラップ１０が、平坦に保持され、また、ユーザーが、便利に取れる。
【０００９】
以上のように、本発明の実施例によれば、確実に予期の目的や使用効果が得られ、そのため、本発明は、より進歩的かつより実用的で、法に従って特許請求を出願する。
【００１０】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１１】
【図１】従来のラップカット装置の参考図
【図２】本発明の斜視図
【図３】本発明の駆動装置の一部構造図
【図４】本発明の他の角度から見る時の斜視図
【図５】本発明の使用状態参考図
【符号の説明】
【００１２】
１０    ラップ
１１    ボックス
１２    カバー
１３    カット部
２      基座
２１    定位フレーム
２２    補助回転棒
２３    駆動装置
２３１  モーター
２３２  駆動輪セット
３      搬送輪
３１    長尺槽
３２    案内槽
３３    従動回転輪
４      カッター
４１    フレーム板
４１０  シャフト
４１１  ベルト軸座
４１２  上遊び歯車
４１３  下遊び歯車
４２    モーター
４２０  センサー
４３    ベルト
４４    刃物座
４４０  刃物
４４１  磁気部品
５      剥離案内板
５１    シャベルシート
【図１】
2009280373.tif 000003
【図２】
2009280373.tif 000004
【図３】
2009280373.tif 000005
【図４】
2009280373.tif 000006
【図５】
2009280373.tif 000007